(57)【特許請求の範囲】
【請求項１】
光ディスクの情報層に光学的に情報の記録・再生を行うための光ピックアップと、前記光ピックアップを制御すると共に当該光ピックアップから出力された信号を処理するドライブ装置とを具備した光ディスク情報記録再生装置であって、
前記光ピックアップは、レーザダイオードやレーザ駆動装置と共に、自身が有する仕様を判別信号として出力する判別信号出力端子を備え、
前記ドライブ装置は、前記判別信号出力端子に出力される判別信号から前記光ピックアップの仕様を判別する検出回路と、複数の光ディスクごとに対応した記録条件を記憶する記憶手段と、前記光ディスクに記録された情報や埋め込まれたディスク固有情報を読み出す信号処理回路と、前記記録条件を基に前記光ディスクに情報を記録するために前記光ピックアップを制御する制御回路とを備え、
前記ドライブ装置の記憶手段は、仕様が異なる複数種の前記光ピックアップごとに対応する記憶領域を有し、当該記憶領域にそれぞれ前記光ピックアップごとに対応する複数種の前記光ディスクの記録条件を記憶させるように構成し、
前記検出回路によって光ピックアップの仕様を判別すると共に前記信号処理回路で読み出したディスク固有情報を基に光ディスクを判別し、まず、判別された光ピックアップの仕様に対応する記憶領域を選択し、その後、判別された光ディスクに対応する記録条件を前記選択された記憶領域に記憶された光ディスクの記録条件から選択し、この選択された記録条件を基に前記光ディスクに情報を記録するように構成したことを特徴とする光ディスク情報記録再生装置。
【請求項２】
前記光ピックアップは、その構成部品であるレーザーダイオード自身に判別信号出力端子を具備し、当該出力端子の出力信号を前記光ピックアップの仕様の前記判別信号として出力するように構成したことを特徴とする請求項１記載の光ディスク情報記録再生装置。
【発明の詳細な説明】
【技術分野】
【０００１】
本発明は、ＣＤやＤＶＤやＢＤ等の光ディスクの情報層に光学的に情報の記録、再生を行うための光ピックアップおよび光ディスク情報記録再生装置に関する。
【背景技術】
【０００２】
小型で大容量の情報を記録できることから注目を集めている光ディスクの市場には、それぞれ組成の違う様々な光ディスクが流通している。それらの様々な光ディスクへの情報の記録に際しては、一様の記録パラメータを用いたのでは、記録品質を維持することができない。
【０００３】
図７に従来の光ディスク情報記録再生装置の構成の模式図を示す。光ピックアップ１０１は、アノード端子１１１とカソード端子１１２とを備えたレーザダイオード１０２と、レーザダイオード１０２にアノード端子１１１とカソード端子１１２とを介してレーザ光を射出させるための駆動電流を供給するレーザ駆動装置１０３と、レーザ光を図示しない光ディスク１１０の記録層に集光するための図示しない光ピックアップ１０１内の光学部品と、光ディスク１１０の記録層からの反射光を受光する受光手段１０９とを備えている。
【０００４】
ドライブ装置１００は、光ピックアップ１０１の受光手段１０９から出力される信号に対して処理を施し光ディスク１１０の記録層に記録された情報や光ディスク１１０内に埋め込まれたディスクＩＤ等の固有情報を読み出す信号処理回路１０８と、様々な光ディスクのディスクＩＤと記録速度とに対応した最適な記録条件を格納する記憶手段１０６と、記憶手段１０６の記録条件を基に光ピックアップ１０１のレーザ駆動装置１０３を制御して光ディスク１１０の記録層に情報を記録する制御回路１０５を備えている。
【０００５】
図８は、記録手段１０６の記憶領域構成図である。記憶領域２１０は、データテーブルとして様々な光ディスクに対応した数百種類の記録条件、この図では光ディスクＡ仕様の記録条件２１１と光ディスクＢ仕様の記録条件２１２と光ディスクＣ仕様の記録条件２１３とを備えている。
【０００６】
図９に光ディスク情報記録再生装置が光ディスク１１０の記録層に記録する手順のフローチャートを示す。光ディスク情報記録再生装置に光ディスク１１０を挿入する（ステップＳ１５０）。レーザダイオード１０２から挿入した光ディスク１１０の記録層に再生パワーに相当するレーザ光を照射し、光ディスク１１０の記録層からの反射光を受光手段１０９で信号に変換し、受光手段１０９から出力される信号を信号処理回路１０８で処理し読み出したディスクＩＤを基に光ディスク１１０の種類を判別する（ステップＳ１５１）。記録速度を確認する（ステップＳ１５２）。ステップＳ１５１で判別した光ディスク１１０の種類に応じて、記憶手段１０６の記録領域２１０に格納された複数の記録条件の中から対応した記録条件、光ディスクＡ仕様の記録条件２１１か光ディスクＢ仕様の記録条件２１２か光ディスクＣ仕様の記録条件２１３の中から記録条件を選択する（ステップＳ１５６）。制御手段１０５は、ステップＳ１５６で選択した記録条件を基にレーザ駆動装置１０３に記録を指示する（ステップＳ１５７）。光ディスク１１０の記録層にレーザダイオード１０２から記録パワーに相当するレーザ光を照射して情報の記録を行う（ステップＳ１５８）ことで記録品質の維持に努めている（例えば特許文献１参照）。
【特許文献１】特開２００５−１４９５７９号公報
【発明の開示】
【発明が解決しようとする課題】
【０００７】
昨今、供給やコストの面から、レーザ品種などの主要構成部品の異なる光ピックアップや、供給メーカの異なる光ピックアップを使用した光ディスク情報記録再生装置を同時期に製品化する傾向にある。光ピックアップの仕様が異なれば、光ピックアップの記録特性も異なり、様々な光ディスクに対応した最適な記録パラメータも異なり、ドライブ装置内の記憶装置に格納するデータテーブルも異なってくる。当然のことながら、仕様の異なる光ピックアップを使用する場合は、別仕様のドライブ装置から構成される別仕様の光ディスク情報記録再生装置を製品化しなければならないという問題がある。
【０００８】
本発明は、仕様の異なる光ピックアップの区別・管理を必要とせずに、同一仕様のドライブ装置で構成される記録品質の高い光ディスク情報記録再生装置の製品化を可能とすることを目的とする。
【課題を解決するための手段】
【０００９】
請求項１に係る光ディスク情報記録再生装置は、光ディスクの情報層に光学的に情報の記録・再生を行うための光ピックアップと、前記光ピックアップを制御すると共に当該光ピックアップから出力された信号を処理するドライブ装置とを具備した光ディスク情報記録再生装置であって、前記光ピックアップは、レーザダイオードやレーザ駆動装置と共に、自身が有する仕様を判別信号として出力する判別信号出力端子を備え、前記ドライブ装置は、前記判別信号出力端子に出力される判別信号から前記光ピックアップの仕様を判別する検出回路と、複数の光ディスクごとに対応した記録条件を記憶する記憶手段と、前記光ディスクに記録された情報や埋め込まれたディスク固有情報を読み出す信号処理回路と、前記記録条件を基に前記光ディスクに情報を記録するために前記光ピックアップを制御する制御回路とを備え、前記ドライブ装置の記憶手段は、仕様が異なる複数種の前記光ピックアップごとに対応する記憶領域を有し、当該記憶領域にそれぞれ前記光ピックアップごとに対応する複数種の前記光ディスクの記録条件を記憶させるように構成し、前記検出回路によって光ピックアップの仕様を判別すると共に前記信号処理回路で読み出したディスク固有情報を基に光ディスクを判別し、まず、判別された光ピックアップの仕様に対応する記憶領域を選択し、その後、判別された光ディスクに対応する記録条件を前記選択された記憶領域に記憶された光ディスクの記録条件から選択し、この選択された記録条件を基に前記光ディスクに情報を記録するように構成したことを特徴とする。
【００１０】
請求項２に係る光ディスク情報記録再生装置は、前記光ピックアップは、その構成部品であるレーザーダイオード自身に判別信号出力端子を具備し、当該出力端子の出力信号を前記光ピックアップの仕様の前記判別信号として出力するように構成したことを特徴とする。
【発明の効果】
【００１１】
本発明によれば、ドライブ装置に備えた記憶手段に仕様が異なる複数種の光ピックアップごとに対応する記憶領域を有し、当該記憶領域にそれぞれ前記光ピックアップごとに対応する複数種の前記光ディスクの記録条件を記憶させるように構成したので、それぞれ異なる仕様の複数種の光ピックアップを、生産時やその後の光ピックアップの交換が必要な場合においても、特定された単独の光ピックアップとして区別・管理する必要が無く製品化を行うことができると共に、製品化された装置に使用された光ピックアップの仕様をドライブ装置で区別し、ドライブ装置で光ピックアップの仕様に最適化された記録条件の選択を、予め記憶された光ピックアップ毎の仕様と光ディスク毎の記録条件を選択するという簡単な処理で行うことができ、その記録条件を使用することにより、記録品質の高い光ディスク情報記録再生装置の提供を実現できる。
【発明を実施するための最良の形態】
【００１２】
（実施の形態1）
以下に本発明を実施するための最良の形態を図面を参照して説明する。図１は、本発明の形態に係る光ディスク情報記録再生装置の構成を示す模式図である。
光ピックアップ１０１は、アノード端子１１１とカソード端子１１２とを備えたレーザダイオード１０２と、レーザダイオード１０２にアノード端子１１１とカソード端子１１２とを介してレーザ光を射出させるための駆動電流を供給するレーザ駆動装置１０３と、レーザ光を図示しない光ディスク１１０の記録層に集光するための図示しない光ピックアップ１０１内の光学部品と、光ディスク１１０の記録層からの反射光を受光する受光手段１０９と、ドライブ装置１００に光ピックアップ１０１の仕様の相違を判別信号として出力する判別信号出力端子１０４とを備えている。
【００１３】
ドライブ装置１００は、光ピックアップ１０１の受光手段１０９から出力される信号に対して処理を施し光ディスク１１０の記録層に記録された情報や光ディスク１１０内に埋め込まれたディスクＩＤ等の固有情報を読み出す信号処理回路１０８と、光ピックアップ１０１の判別信号出力端子１０４から出力される判別信号を基に光ピックアップ１０１の仕様を判別する検出回路１０７と、光ピックアップ１０１の仕様とディスクＩＤと記録速度とに対応した最適な記録条件を格納する記憶手段１０６と、記憶手段１０６の記録条件を基に光ピックアップ１０１のレーザ駆動装置１０３を制御して光ディスク１１０の記録層に情報を記録する制御回路１０５を備えている。
【００１４】
図５は、光ピックアップ１０１の仕様の相違を判別信号として出力する判別信号出力端子１０４の構成例を示したものである。光ピックアップ１０１が有する供給電源１２１と参照電源１２２との間に判別信号設定抵抗Ａ１２３と判別信号設定抵抗Ｂ１２４とを直列接続し、判別信号設定抵抗Ａ１２３と判別信号設定抵抗Ｂ１２４との間に判別信号出力端子１０４を設ける構成を取ることで、光ピックアップ１０１の仕様の相違に合わせて、判別信号出力端子１０４の信号出力を判別信号設定抵抗Ａ１２３と判別信号設定抵抗Ｂ１２４との抵抗比で設定することを可能とする。
【００１５】
図２は、ドライブ装置１００に対応する光ピックアップ１０１が２種類ある場合の記録手段１０６の記憶領域構成図である。記憶領域２００は、光ピックアップＡ仕様の記録条件群２０１と光ピックアップＢ仕様の記録条件群２０２とを備えている。光ピックアップＡ仕様の記録条件群２０１は、さらに光ディスクＣ仕様の記録条件２０３と光ディスクＤ仕様の記録条件２０４と光ディスクＥ仕様の記録条件２０５とを備えている。
【００１６】
図３は、ドライブ装置１００に対応する光ピックアップ１０１が２種類ある場合に、光ディスク情報記録再生装置が光ディスク１１０の記録層に記録する手順のフローチャートを示す。
【００１７】
光ディスク情報記録再生装置に光ディスク１１０を挿入する（ステップＳ１５０）。レーザダイオード１０２から挿入した光ディスク１１０の記録層に再生パワーに相当するレーザ光を照射し、光ディスク１１０の記録層からの反射光を受光手段１０９で信号に変換し、受光手段１０９から出力される信号を信号処理回路１０８で処理し読み出したディスクＩＤを基に光ディスク１１０の種類を判別する（ステップＳ１５１）。記録速度を確認する（ステップＳ１５２）。検出回路１０７で光ピックアップ１０１の仕様がＡ仕様であるかを判別する（ステップＳ１５３）。光ピックアップ１０１の仕様がＡ仕様である場合（ステップＳ１５３Ｙｅｓ）は、記憶手段１０６で記憶領域２００内の光ピックアップＡ仕様の記録条件群２０１を選択する（ステップＳ１５４）。光ピックアップ１０１の仕様がＢ仕様である場合（ステップＳ１５３Ｎｏ）は、記憶手段１０６で記憶領域２００内の光ピックアップＢ仕様の記録条件群２０２を選択する（ステップＳ１５５）。ステップＳ１５１で判別した光ディスク１１０の種類に応じて、光ピックアップ１０１の仕様がＡ仕様である場合（ステップＳ１５３Ｙｅｓ）は、光ディスクＣの記録条件２０３か光ディスクＤの記録条件２０４か光ディスクＥの記録条件２０５の中から記録条件を選択し（ステップＳ１５６）、光ピックアップ１０１の仕様がＢ仕様である場合（ステップＳ１５３Ｎｏ）は、光ディスクＦの記録条件２０６か光ディスクＧの記録条件２０７か光ディスクＨの記録条件２０８の中から記録条件を選択する（ステップＳ１５６）。制御手段１０５は、ステップＳ１５６で選択した記録条件を基にレーザ駆動装置１０３に記録を指示する（ステップＳ１５７）。レーザ駆動装置１０３は制御手段１０５からの指示に従ってレーザダイオード１０２に駆動電流を出力し、レーザダイオード１０２のレーザ光によって、光ディスク１１０の記録層にレーザダイオード１０２から記録パワーに相当するレーザ光を照射して情報の記録を行う（ステップＳ１５８）。
【００１８】
図６は、光ピックアップが２種類ある場合の光ディスク情報記録再生装置の構成を示す模式図である。光ディスク情報記録再生装置は、Ａ仕様判別信号出力端子１３１を備えたＡ仕様光ピックアップ１３０又はＢ仕様判別信号出力端子１３３を備えたＢ仕様光ピックアップ１３２と、ドライブ装置１００から構成されている。
【００１９】
ドライブ装置１００は、接続された光ピックアップのＡ仕様判別信号出力端子１３１かＢ仕様判別信号出力端子１３３からの出力信号を基に、Ａ仕様光ピックアップ１３０かＢ仕様光ピックアップ１３２かを判別し、記録手段の中から光ピックアップの仕様と光ディスク１１０の種類に対応した記録条件を選択し、その記録条件使って光ディスク１１０の記録層に情報を記録する。こうした構成を取ることで、それぞれ異なる仕様の複数種の光ピックアップを区別・管理せずとも、同一仕様のドライブ装置で構成される記録品質の高い光ディスク情報記録再生装置の提供を実現できる。
【００２０】
（実施の形態２）
図１の実施例１との相違点は、光ピックアップの判別したい構成部品が判別するための信号を出力する判別信号出力端子を具備している点にある。構成部品の判別信号出力端子と光ピックアップの判別信号出力端子は電気的に接続されることにより、光ピックアップからの判別信号を基にドライブ装置で構成部品の仕様を判別できることから、光ピックアップにおいて仕様の異なる構成部品を区別・管理することなく組み込んだとしても、光ピックアップの構成部品に応じて最適化された記録条件を選択し記録することで記録品質の高い光ディスク情報記録再生装置の提供を実現できる。
【００２１】
以下、本発明を実施するための最良の形態を図面を参照して説明する。図４は、第２の実施例に係る光ディスク情報記録再生装置の構成を示したものである。
光ピックアップ１０１が有するレーザダイオード１０２に設けられたアノード端子１１１とカソード端子１１２以外の端子に異なる複数種のレーザダイオード１０２に対応して判別手段を電気信号として出力する機能を持つ判別信号出力端子１０４を備えている。
【００２２】
図１０に図４に示す判別信号を検出する系の構成を示す。アノード端子１１１と、カソード端子１１２と、判別信号出力端子１０４とを備えたレーザダイオード１０２は、アノード端子１１１とカソード端子１１２との間に光源である半導体レーザチップ１１３を設け、判別信号出力端子１０４とカソード端子１１２との間にそれぞれ異なる仕様のレーザダイオード１０２に対応して判別信号を電圧として出力する判別信号出力用ダイオード１１４を設けている。判別信号検出系は、レーザダイオード１０２と、レーザダイオード１０２のカソード端子１１２と判別信号出力端子１０４と結線された検出回路１０７と、判別信号出力端子１０４に電流制限抵抗１１５を介して結線される電圧源１１６とで構成されている。こうした構成を取ることにより、検出回路１０７で判別信号出力端子１０４とカソード端子１１２との間の電圧出力信号を判別でき、出力信号に対応したレーザダイオード１０２の仕様を判別できる。
【００２３】
図４の構成を取ることにより、それぞれ異なる仕様であることを信号として出力する構成部品、この実施例の場合はレーザダイオード１０２を区別・管理せずとも、光ピックアップ１０１に構成として組み込み、光ピックアップ１０１をドライブ装置１００と接続すれば、判別信号出力端子１０４の出力信号からレーザダイオード１０２の仕様をドライブ装置１００の検出回路１０７で判別し、ドライブ装置１００の記憶手段１０６に格納された光ピックアップ１０１の構成部品に合わせて最適化された記録条件を選択し、その記録条件を使用することで、記録品質の高い光ディスク情報記録再生装置の提供を実現できる。
【産業上の利用可能性】
【００２４】
本発明は、光ピックアップおよび光ディスク情報記録再生装置に適用することができる。
【図面の簡単な説明】
【００２５】
【図１】第１の実施例に係る光ディスク情報記録再生装置の構成を示す模式図
【図２】２種類の光ピックアップに対応するドライブ装置の記録手段の記憶領域構成図
【図３】２種類の光ピックアップに対応するドライブ装置が光ディスクの記録層に記録する手順のフローチャート
【図４】第２の実施例に係る光ディスク情報記録再生装置の構成を示す模式図
【図５】光ピックアップの仕様の相違を判別信号として出力する判別信号出力端子の構成図
【図６】第１の実施例に係る光ピックアップが２種類ある場合の光ディスク情報記録再生装置の構成を示す模式図
【図７】従来の光ディスク情報記録再生装置の構成を示す模式図
【図８】従来のドライブ装置の記録手段の記憶領域構成図
【図９】従来のドライブ装置が光ディスクの記録層に記録する手順のフローチャート
【図１０】図４に示す判別信号を検出する系の構成図
【符号の説明】
【００２６】
１００    ドライブ装置
１０１    光ピックアップ
１０２    レーザダイオード
１０３    レーザ駆動装置
１０４    判別信号出力端子
１０５    制御回路
１０６    記憶手段
１０７    検出回路
１０８    信号処理回路
１０９    受光手段
１１０    光ディスク
１１１    アノード端子
１１２    カソード端子
１１３    半導体レーザチップ
１１４    判別信号出力用ダイオード
１１５    電流制限抵抗
１１６    電圧源
１２１    供給電源
１２２    参照電源
１２３    判別信号設定抵抗Ａ
１２４    判別信号設定抵抗Ｂ
１３０    Ａ仕様光ピックアップ
１３１    Ａ仕様判別信号出力端子
１３２    Ｂ仕様光ピックアップ
１３３    Ｂ仕様判別信号出力端子
２００    記憶領域
２０１    光ピックアップＡ仕様の記録条件群
２０２    光ピックアップＢ仕様の記録条件群
２０３    光ディスクＣの記録条件
２０４    光ディスクＤの記録条件
２０５    光ディスクＥの記録条件
２０６    光ディスクＦの記録条件
２０７    光ディスクＧの記録条件
２０８    光ディスクＨの記録条件
２１０    記憶領域
２１１    光ディスクＡの記録条件
２１２    光ディスクＢの記録条件
２１３    光ディスクＣの記録条件
【図１】
0004765763.tif 000002
【図２】
0004765763.tif 000003
【図３】
0004765763.tif 000004
【図４】
0004765763.tif 000005
【図５】
0004765763.tif 000006
【図６】
0004765763.tif 000007
【図７】
0004765763.tif 000008
【図８】
0004765763.tif 000009
【図９】
0004765763.tif 000010
【図１０】
0004765763.tif 000011